(57)【要約】【課題】操作ケースによって吐水ヘッドと水栓カートリッジの外観上の納まりを良好にする。操作ケースの組立及びメンテナンス時の分解を簡単にする。【解決手段】吐水ヘッドと水栓カートリッジ３とを１つの操作ケース５に収容すると共に、該操作ケース５を、後方に開口した操作ケース本体５Ａと、被取付部に固定される固定板５Ｂとに分割する。操作ケース本体５Ａの後端の外周部と固定板５Ｂの外周部とを互いに接合する手段を、双方の外周部の周方向片側部分に形成されて互いに係脱可能に係止される係止部と、該係止部が形成された部位から離間した周方向反対側部分同士を互いに締結する締結部材とで構成した混合水栓１である。【選択図】図１
2010270458.tif 000002
【特許請求の範囲】
【請求項１】
吐水を行う吐水ヘッドと、吐水の流量と温度を調節する水栓カートリッジとを備え、被取付部に取り付けられる混合水栓であって、上記吐水ヘッドと上記水栓カートリッジを１つの操作ケースに収容すると共に、該操作ケースを後方に開口した操作ケース本体と、上記被取付部に固定される固定板とに分割し、上記操作ケース本体の後端の外周部と固定板の外周部とを互いに接合する手段を、双方の外周部の周方向片側部分に形成されて互いに係脱可能に係止される係止部と、該係止部が形成された部位から離間した周方向反対側部分同士を互いに締結する締結部材とで構成したことを特徴とする混合水栓。
【請求項２】
上記操作ケース本体と固定板の互いに接合される外周部のいずれか一方の面に、その周方向全周に亘って止水パッキンを装着し、いずれか他方に該止水パッキンを上記一方の面に向かって押圧する複数の押さえリブを突設してなることを特徴とする請求項１記載の混合水栓。
【発明の詳細な説明】
【技術分野】
【０００１】
本発明は、混合水栓に関し、詳しくは吐水を行う吐水ヘッドと、吐水の流量と温度を調節する水栓カートリッジとを収納する操作ケースの構造に関するものである。
【背景技術】
【０００２】
従来から、洗面ボウルに向けて水や湯を吐水するための吐水ヘッドと、湯水の吐出量と吐水温度を調節するレバー式水栓カートリッジとを別々に設けた洗面化粧台が一般に知られている（例えば、特許文献１参照）。
【０００３】
ところが従来の混合水栓では、洗面ボウルの後方上面に、吐水ヘッドとレバー式水栓カートリッジとが離れて独立して設置されているため、外観上すっきりとしたデザインにできないという問題があった。
【０００４】
なお、例えば特許文献２には、水栓カートリッジをカートリッジケースに収容したものが知られているが、カートリッジケースを洗面化粧台の背面板に固定する構造が複雑であり、特にカートリッジケースを浸水防止構造とする場合はその組立やメンテナンス時の分解に手間を要するという問題がある。
【先行技術文献】
【特許文献】
【０００５】
【特許文献１】特開２００８−５５１１３号公報
【特許文献２】特開２００８−８２１０２号公報
【発明の概要】
【発明が解決しようとする課題】
【０００６】
本発明は上記の従来の問題点に鑑みて発明したものであって、操作ケースによって吐水ヘッドと水栓カートリッジの外観上の納まりを良好にできて、デザイン性が向上すると共に、操作ケースの組立及びメンテナンス時の分解が簡単にできる混合水栓を提供することにあり、さらに操作ケース内部への浸水防止効果を高めることができる混合水栓を提供することにある。
【課題を解決するための手段】
【０００７】
前記の課題を解決するために、本発明は、吐水を行う吐水ヘッド４と、吐水の流量と温度を調節する水栓カートリッジ３とを備え、被取付部に取り付けられる混合水栓１である。上記吐水ヘッド４と上記水栓カートリッジ３とを１つの操作ケース５に収容すると共に、該操作ケース５を後方に開口した操作ケース本体５Ａと、上記被取付部に固定される固定板５Ｂとに分割する。操作ケース本体５Ａの後端の外周部と固定板５Ｂの外周部とを互いに接合する手段を、双方の外周部の周方向片側部分に形成されて互いに係脱可能に係止される係止部３０と、該係止部３０が形成された部位から離間した周方向反対側部分同士を互いに締結する締結部材３１とで構成したことを特徴としている。
【０００８】
このような構成とすることで、操作ケース本体５Ａと固定板５Ｂとに分割することで、操作ケース５内部に吐水ヘッド４と水栓カートリッジ３とを外観良く納めることが容易となり、しかも、操作ケース５の組立時には、操作ケース本体５Ａの後端の外周部と固定板５Ｂの外周部とを係止部３０による係止と締結部材３１による締結とを組み合わせて簡単且つ確実に接合できると共に、係止部３０との組み合わせによって締結部材３１による締結箇所を削減でき、操作ケース５の組立作業及びメンテナンス時の分解作業がそれぞれ簡単に行えるようになる。
【０００９】
また、上記操作ケース本体５Ａと固定板５Ｂの互いに接合される外周部のいずれか一方の面３４に、その周方向全周に亘って止水パッキン３２を装着し、いずれか他方に該止水パッキン３２を上記一方の面３４に向かって押圧する複数の押さえリブ３３を突設してなるのが好ましく、この場合、操作ケース本体５Ａの外周部と固定板５Ｂの外周部との接合面を止水パッキン３２により確実にシールできる。しかも複数の押さえリブ３３によって止水パッキン３２の反り、浮き上がりを防止できるので、操作ケース５内部への浸水を確実に防止できる。
【発明の効果】
【００１０】
本発明は、操作ケース本体と固定板とに分割された操作ケースを利用して、吐水ヘッドと水栓カートリッジをすっきりとした外観に納めることが容易にできるものであり、さらに操作ケースの組立が係止部による係止と締結部材による締結とを組み合わせて簡単且つ確実に行うことができ、操作ケースの組立作業及びメンテナンス時の分解作業がそれぞれ簡単に行えるものである。
【００１１】
また本発明は、止水パッキンと複数の押さえリブとの組み合わせによって操作ケース内部への浸水を確実に防止できるものである。
【図面の簡単な説明】
【００１２】
【図１】本発明の一実施形態の混合水栓の分解斜視図である。
【図２】同上の混合水栓を取り付けた洗面化粧台の正面図である。
【図３】同上の混合水栓を取り付けた洗面化粧台の側面図である。
【図４】同上の混合水栓を斜め後ろ下方から見た斜視図である。
【図５】同上の操作ケース本体と固定板とに分割された操作ケースの組立状態を説明する破断した斜視図である。
【図６】図５の係止部付近の拡大図である。
【発明を実施するための形態】
【００１３】
以下、本発明を添付図面に示す実施形態に基いて説明する。
【００１４】
本発明の混合水栓１は、例えば図２、図３に示すように、洗面化粧台１０に使用される。洗面化粧台１０は、前面に照明ランプ１１及びミラー１２を有し、内部に収納棚を有するミラーキャビネット１３と、上面に洗面ボウル１５を設けた下部キャビネット１４とを備えたもので、本発明の混合水栓１は、ミラーキャビネット１３の背面板１８（被取付部）に対して取り付けられている。
【００１５】
混合水栓１は、図４に示すように、直流水とシャワー水を切替えるハンドル部４ａを備えた吐水ヘッド４と、操作レバー２の回転操作と回転軸線と交差する方向Ｃの傾動操作とに基づいて吐水ヘッド４からの吐水の流量と温度をそれぞれ調節する水栓カートリッジ３と、これらを収容する１つの操作ケース５とを備えている。
【００１６】
上記水栓カートリッジ３は操作ケース５に固定されると共に、筒形のカートリッジカバー３ｃにて覆われている。
【００１７】
操作レバー２の水栓カートリッジ３との接続部分は、レバーカバー２ｃにより覆われる。レバーカバー２ｃは、後方に開口した断面コ字状のキャップ状に形成され、レバーカバー２ｃの外面とカートリッジカバー３ｃの外面とが面一状に連続するように、レバーカバー２ｃの外径と前記カートリッジカバー３ｃの外径とが同一寸法とされている。
【００１８】
レバーカバー２ｃの周方向の一部には、図４に示すように、操作レバー２の操作部２ｂが挿通される軸方向Ａに長く延びたカバー穴２ｄが形成されており、このカバー穴２ｄに沿って操作部２ｂの傾動操作が可能とされる。なお、操作レバー２を回転させたときはこれに追随してレバーカバー２ｃが一緒に回転するようになっている。
【００１９】
上記吐水ヘッド４と水栓カートリッジ３は、１つの操作ケース５に収容される。本例の操作ケース５は、図１に示すように、後方に開口した操作ケース本体５Ａと、操作ケース本体５Ａを後方から覆う固定板５Ｂとに分割されている。固定板５Ｂは、被取付部である洗面化粧台１０のミラーキャビネット１３の背面板１８（図２、図３）に対して固定される。
【００２０】
操作ケース本体５Ａの前面部５ａは、図１に示すように、真正面向きよりも斜め上向きに傾斜しており、その中央部に人感センサーの情報に基づく自動吐水モードと操作レバー２による手動吐水モードとを切り替えるための切替スイッチ１９が設けられ、その片側に吐水ヘッド４を着脱自在に収容する吐水ヘッド収容部２０が設けられている。
【００２１】
上記操作ケース５の底面部５ｂには、図４に示すように、レバーカバー２ｃの少なくともカバー穴２ｄを含む一部とカートリッジカバー３ｃの一部をそれぞれ外部に露出させる操作用開口部９が設けられ、操作部２ｂが操作ケース５の下方に向けて突出されている。本例の操作用開口部９は、操作部２ｂの回転操作と傾動操作とを可能にする大きさを有している。
【００２２】
次に、操作ケース５の組立手順の一例を説明する。
【００２３】
先ず、固定板５Ｂを洗面ボウルの後部上方に位置するミラーキャビネットの背面板１８（図２、図３）に固定し、次いで、図１に示すように、水栓カートリッジ３にカートリッジカバー３ｃを被せ、操作レバー２をレバーカバー２ｃで被せた状態とし、一方、吐水ヘッド４のホースを図４の固定板５Ｂの前方からホースガイド２２内部を通して背面板１８の後方に引き出して、水栓カートリッジ３の混合水流出口に接続しておく。その後、操作ケース本体５Ａを固定板５Ｂに取り付ける。このとき操作ケース本体５Ａ内面の凹部（図示せず）にレバーカバー２ｃの中央凸部６ａを嵌め合わせた状態とし且つ操作レバー２の操作部２ｂを操作ケース本体５Ａの底面の操作用開口部９から下方に突出させた状態とし、この状態で、固定板５Ｂの上端に設けた係止爪３０ａ（図６）に操作ケース本体５Ａの係止溝３０ｂ（図６）を引っ掛ける。このとき止水パッキン３２の上半部を操作ケース本体５Ａに設けた段差部６０に嵌め込んだ状態とし、且つ止水パッキン３２の下半部の前面部３２ａに対して操作ケース本体５Ａの内面に突設させた複数の押さえリブ３３の一端面３３ａを押さえ付けた状態とする。この状態で、最後に固定板５Ｂの下端部と操作ケース本体５Ａの後部下端とを下方からネジ等の締結部材３１（図４）で締結する。これにより操作ケース５の組立及び取付が完了する。
【００２４】
しかして、洗面化粧台１０のミラーキャビネット１３の下端面に沿わせて、吐水ヘッド４と操作レバー２と水栓カートリッジ３とを操作ケース５によって納まりよく設置できる。しかも操作ケース５を操作ケース本体５Ａと固定板５Ｂとに分割したので操作ケース内部に吐水ヘッド４と水栓カートリッジ３とを収容しやすい構造となり、しかも、操作ケース５の組立時には、操作ケース本体５Ａの後端の外周部と固定板５Ｂの外周部とを係止部３０による係止と締結部材３１による締結とを組み合わせて簡単且つ確実に接合できると共に、係止部３０と組み合わせることで締結部材３１による締結箇所を削減でき、操作ケースの組立作業及びメンテナンス時の分解作業がそれぞれ簡単に行えるようになる。
【００２５】
また本例では係止部３０（係止爪３０ａ、係止溝３０ｂ）を外周部の上端側に形成し、外周部の下端側を締結部材３１で締結したので、締結箇所が目立たなくなり、外観が損なわれることがない。
【００２６】
さらに図６に示すように、固定板５Ｂの上端部に貼着される止水パッキン３２の上半部を操作ケース本体５Ａの段差部６０と固定板５Ｂの上端部との間で潰された状態とし且つ止水パッキンの下半部の前面部３２ａに対して複数の押さえリブ３３の一端面３３ａが押さえ付けた状態としたので操作ケース本体５Ａの外周部と固定板５Ｂの外周部との接合面を止水パッキン３２により確実にシールできると共に、複数の押さえリブ３３によって止水パッキン３２の反り、浮き上がりを防止できるので、操作ケース５内部への浸水をより確実に防止できるものである。
【００２７】
さらに本例では、ミラーキャビネット１３の背面板１８に対して操作ケース５を取り付けるので、既存の洗面ボウル１５側に従来のようなカラン取付穴やレバー取付穴等を設ける必要がなくなる利点もある。
【００２８】
一方、メンテナンス時には、締結部材３１（図４）を外すだけで操作ケース本体５Ａを固定板５Ｂから簡単に取り外すことができるので、水栓カートリッジ３のメンテナンス作業を容易に行うことができる。
【符号の説明】
【００２９】
１  混合水栓
２  操作レバー
３  水栓カートリッジ
４  吐水ヘッド
５  操作ケース
５Ａ  操作ケース本体
５Ｂ  固定板
３０  係止部
３１  締結部材
３２  止水パッキン
３３  押さえリブ
３４  一方の面
【図１】
2010270458.tif 000003
【図２】
2010270458.tif 000004
【図３】
2010270458.tif 000005
【図４】
2010270458.tif 000006
【図５】
2010270458.tif 000007
【図６】
2010270458.tif 000008